(57)【要約】【課題】本発明はスケート保護ズボンを開示した。【解決手段】スケートして休憩しようとする時に、前記固定ブロックを回転し、左右端の前記固定ブロックを近づけて接触させ、前記固定ブロックが前記円柱を回転連動させ、前記円柱が偏心回転して前記第二円形歯車と前記第一円形歯車とを噛合連動させ、同時に前記第三円形歯車と前記第四円形歯車とが噛み合い、前記第一円形歯車が前記第二円形歯車を回転連動させ、前記第二円形歯車が前記第一プーリを回転連動させ、前記第一プーリがベルトによって前記第二プーリクッションを回転連動させ、前記第二プーリクッションが前記第三円形歯車を回転連動させ、それによって、前記第三円形歯車が前記第四円形歯車を回転連動させる。【選択図】図１
2020147883.tif 000002
【特許請求の範囲】
【請求項１】
ズボンを含み、前記ズボンの左右両端には本体が固定的に設置されており、左側の前記本体の底端には第一チャンバが設置されており、前記第一チャンバの頂壁の中には駆動モーターが固定的に設置されており、前記駆動モーターの底端には前記第一チャンバの中に伸びている第一主動軸が伝動できるように接続されており、前記第一主動軸の底端には第一円形歯車が固定的に設置されており、前記第一チャンバの底端には円柱が回転できるように設置されており、前記円柱の底端には固定ブロックが固定的に設置されており、前記第二チャンバの中には右へ伸びている第二チャンバが設置されており、前記第二チャンバと前記第一チャンバとの間には第一回転軸が回転できるように設置されており、前記第一回転軸と前記円柱が偏心のように設置されており、前記第一チャンバの中の前記第一回転軸の末端には前記第一円形歯車と噛み合う第二円形歯車が固定的に設置されており、前記第二チャンバの中の前記第一回転軸の末端には第一プーリが固定的に設置されており、前記第二チャンバの頂壁の右端には右へ開口する第三チャンバが設置されており、前記第三チャンバと前記第二チャンバの間には第二回転軸が回転できるように設置されており、前記第二チャンバの中の前記第二回転軸の末端には第二プーリクッションが固定的に設置されており、前記第二プーリクッションと前記第一プーリの間にはベルトが伝動できるように設置されており、前記第三チャンバの中の前記第二回転軸には第三円形歯車が固定的に設置されており、右側の前記固定ブロックには左へ開口する第四チャンバが設置されており、前記第四チャンバの底壁の中には下へ開口する第五チャンバ及び前記第五チャンバの左側に位置する第六チャンバが設置されており、前記第五チャンバと前記第六チャンバの底壁には下に開口する収納チャンバが連通して設けられ、前記第五チャンバと前記第四チャンバの間には第三回転軸が回転できるように設置されており、前記第四チャンバの中の前記第三回転軸には前記第三円形歯車と噛み合う第四円形歯車が固定的に設置されており、前記第五チャンバの中の前記第三回転軸の末端には第一傘歯車が固定的に設置されており、前記第五チャンバの中には第四回転軸が回転できるように設置されており、前記第四回転軸と前記第五チャンバの前側端壁の間には撥条が固定的に接続されており、前記第四回転軸には第二傘歯車及び前記第二傘歯車の前側に位置するリールが固定的に設置されており、前記第二傘歯車と前記第一傘歯車とが噛み合い、前記第六チャンバの頂壁には下へ伸びている撥条伸縮ロッドが固定的に設置されており、前記撥条伸縮ロッドの底端には前記収納チャンバの中で上下にスライドできる第二プーリクッションが固定的に設置されており、前記第二プーリクッションと前記リールの間には鋼線が固定的に設置されている；くどーモーターがリールを連動させて鋼線を緩め、撥条伸縮ロッドがクッションを弾き出すことを特徴とするスケート保護ズボン。
【請求項２】
前記駆動モーターの頂壁には上へ開口する給気チャンバが設置されており、前記給気チャンバの頂端には逆止弁が固定的に設置されており、前記駆動モーターの頂端には前記給気チャンバに伸びている第二主動軸が伝動できるように接続されており、前記第二主動軸の末端にはターボが固定的に設置されており、前記本体の前側端面にはクッションが固定的に設置されており、前記クッションと前記給気チャンバの間には給気穴が連通し、前記駆動モーターの後端には電気スイッチが接続されており、前記電気スイッチの後側端壁には第一スライド溝が設置されており、前記第一スライド溝の中には第一スライダがスライドできるように設置されており、前記第一スライダの前端に押し棒が固定的に設置されており、前記第一スライド溝の後側端壁には上下に伸びている第二スライド溝が連通して設置されており、前記第二スライド溝には前記ズボンと固定的に接続される第二スライダが上下に対称にスライドできるように設置されており、上下二つの前記第二スライダと前記第二スライド溝の上下端壁との間にはそれぞれ撥条が固定的に設置されており、前記第二スライダと前記第一スライダの間にはヒンジ棒がヒンジで設置されている；使用者が体を曲げて二つの第二スライダを相互に接近させ、第二スライダはヒンジ棒を通じて押し棒にモーターを始動させることを特徴とする請求項1に記載のスケート保護ズボン。
【発明の詳細な説明】
【技術分野】
【０００１】
本発明は保護用品を取り上げて、具体的にはスケート保護ズボンである。
【背景技術】
【０００２】
スケートする時に、後へ転ぶのは背中の脊椎に圧力を引き起こし、子供がスケートを勉強する時に、一定の緩和を提供する必要がある；それに、銀盤にベンチを利用して休憩するのはかなり難しく、わざとベンチを持つのはかなり不便である；そのため、スケート保護ズボンを設計して上記問題を解決する必要がある。
【先行技術文献】
【特許文献】
【０００３】
【特許文献１】中国特許出願公開第105795548号明細書
【発明の概要】
【発明が解決しようとする課題】
【０００４】
本発明が解決すべきの技術の問題はスケート保護ズボンを提供し、上記現有の技術の問題を解決する。
【課題を解決するための手段】
【０００５】
本発明のスケート保護ズボンは、ズボンを含み、前記ズボンの左右両端には本体が固定的に設置されており、左側の前記本体の底端には第一チャンバが設置されており、前記第一チャンバの頂壁の中には駆動モーターが固定的に設置されており、前記駆動モーターの底端には前記第一チャンバの中に伸びている第一主動軸が伝動できるように接続されており、前記第一主動軸の底端には第一円形歯車が固定的に設置されており、前記第一チャンバの底端には円柱が回転できるように設置されており、前記円柱の底端には固定ブロックが固定的に設置されており、前記第二チャンバの中には右へ伸びている第二チャンバが設置されており、前記第二チャンバと前記第一チャンバとの間には第一回転軸が回転できるように設置されており、前記第一回転軸と前記円柱が偏心のように設置されており、前記第一チャンバの中の前記第一回転軸の末端には前記第一円形歯車と噛み合う第二円形歯車が固定的に設置されており、前記第二チャンバの中の前記第一回転軸の末端には第一プーリが固定的に設置されており、前記第二チャンバの頂壁の右端には右へ開口する第三チャンバが設置されており、前記第三チャンバと前記第二チャンバの間には第二回転軸が回転できるように設置されており、前記第二チャンバの中の前記第二回転軸の末端には第二プーリクッションが固定的に設置されており、前記第二プーリクッションと前記第一プーリの間にはベルトが伝動できるように設置されており、前記第三チャンバの中の前記第二回転軸には第三円形歯車が固定的に設置されており、右側の前記固定ブロックには左へ開口する第四チャンバが設置されており、前記第四チャンバの底壁の中には下へ開口する第五チャンバ及び前記第五チャンバの左側に位置する第六チャンバが設置されており、前記第五チャンバと前記第六チャンバの底壁には下に開口する収納チャンバが連通して設けられ、前記第五チャンバと前記第四チャンバの間には第三回転軸が回転できるように設置されており、前記第四チャンバの中の前記第三回転軸には前記第三円形歯車と噛み合う第四円形歯車が固定的に設置されており、前記第五チャンバの中の前記第三回転軸の末端には第一傘歯車が固定的に設置されており、前記第五チャンバの中には第四回転軸が回転できるように設置されており、前記第四回転軸と前記第五チャンバの前側端壁の間には撥条が固定的に接続されており、前記第四回転軸には第二傘歯車及び前記第二傘歯車の前側に位置するリールが固定的に設置されており、前記第二傘歯車と前記第一傘歯車とが噛み合い、前記第六チャンバの頂壁には下へ伸びている撥条伸縮ロッドが固定的に設置されており、前記撥条伸縮ロッドの底端には前記収納チャンバの中で上下にスライドできる第二プーリクッションが固定的に設置されており、前記第二プーリクッションと前記リールの間には鋼線が固定的に設置されておる。
【０００６】
更なる技術方案、前記駆動モーターの頂壁には上へ開口する給気チャンバが設置されており、前記給気チャンバの頂端には逆止弁が固定的に設置されており、前記駆動モーターの頂端には前記給気チャンバに伸びている第二主動軸が伝動できるように接続されており、前記第二主動軸の末端にはターボが固定的に設置されており、前記本体の前側端面にはクッションが固定的に設置されており、前記クッションと前記給気チャンバの間には給気穴が連通し、前記駆動モーターの後端には電気スイッチが接続されており、前記電気スイッチの後側端壁には第一スライド溝が設置されており、前記第一スライド溝の中には第一スライダがスライドできるように設置されており、前記第一スライダの前端に押し棒が固定的に設置されており、前記第一スライド溝の後側端壁には上下に伸びている第二スライド溝が連通して設置されており、前記第二スライド溝には前記ズボンと固定的に接続される第二スライダが上下に対称にスライドできるように設置されており、上下二つの前記第二スライダと前記第二スライド溝の上下端壁との間にはそれぞれ撥条が固定的に設置されており、前記第二スライダと前記第一スライダの間にはヒンジ棒がヒンジで設置されている。
【発明の効果】
【０００７】
本発明の有益な効果は下記の通りである：
【０００８】
本発明のスケート保護スボンは反応が早く、安全で頼ましく、スペースを広く取らない；同時に、本発明装置は功能が豊富であり、操作が簡単明瞭であり、実用性が強い。
【図面の簡単な説明】
【０００９】
【図１】図1は本発明のスケート保護ズボンの全体構成模式図であり；
【図２】図２は図１のＡ−Ａの構成模式図であり；
【図３】図３は図１のＢの拡大構成模式図である。
【発明を実施するための形態】
【００１０】
本説明書によって公開されるすべての特徴、或いは公開されるすべての方法或いは過程中の順序は、互いに排斥する特徴或いは順序以外、いかなる方法で組み合わせる。
【００１１】
以下、図１−３について本発明を詳しく説明し、便利に叙述するように、現在は後文に出る方位を下記の通りに規定する：後文に出る上下左右前後方向は図１本体の投影関係の上下左右前後方向と一致する。
【００１２】
図１−３に示されるように、本発明のスケート保護ズボンは、ズボン１０を含み、前記ズボン１０の左右両端には本体１１が固定的に設置されており、左側の前記本体１１の底端には第一チャンバ３９が設置されており、前記第一チャンバ３９の頂壁の中には駆動モーター４３が固定的に設置されており、前記駆動モーター４３の底端には前記第一チャンバ３９の中に伸びている第一主動軸４２が伝動できるように接続されており、前記第一主動軸４２の底端には第一円形歯車４１が固定的に設置されており、前記第一チャンバ３９の底端には円柱１３が回転できるように設置されており、前記円柱１３の底端には固定ブロック１４が固定的に設置されており、前記第二チャンバ１５の中には右へ伸びている第二チャンバ１５が設置されており、前記第二チャンバ１５と前記第一チャンバ３９との間には第一回転軸３８が回転できるように設置されており、前記第一回転軸３８と前記円柱１３が偏心のように設置されており、前記第一チャンバ３９の中の前記第一回転軸３８の末端には前記第一円形歯車４１と噛み合う第二円形歯車４０が固定的に設置されており、前記第二チャンバ１５の中の前記第一回転軸３８の末端には第一プーリ３７が固定的に設置されており、前記第二チャンバ１５の頂壁の右端には右へ開口する第三チャンバ１６が設置されており、前記第三チャンバ１６と前記第二チャンバ１５の間には第二回転軸１８が回転できるように設置されており、前記第二チャンバ１５の中の前記第二回転軸１８の末端には第二プーリクッション２０が固定的に設置されており、前記第二プーリクッション２０と前記第一プーリ３７の間にはベルト３６が伝動できるように設置されており、前記第三チャンバ１６の中の前記第二回転軸１８には第三円形歯車１７が固定的に設置されており、右側の前記固定ブロック１４には左へ開口する第四チャンバ２５が設置されており、前記第四チャンバ２５の底壁の中には下へ開口する第五チャンバ２２及び前記第五チャンバ２２の左側に位置する第六チャンバ２４が設置されており、前記第五チャンバ２２と前記第六チャンバ２４の底壁には下に開口する収納チャンバ２１が連通して設けられ、前記第五チャンバ２２と前記第四チャンバ２５の間には第三回転軸２７が回転できるように設置されており、前記第四チャンバ２５の中の前記第三回転軸２７には前記第三円形歯車１７と噛み合う第四円形歯車２６が固定的に設置されており、前記第五チャンバ２２の中の前記第三回転軸２７の末端には第一傘歯車４９が固定的に設置されており、前記第五チャンバ２２の中には第四回転軸５３が回転できるように設置されており、前記第四回転軸５３と前記第五チャンバ２２の前側端壁の間には撥条５４が固定的に接続されており、前記第四回転軸５３には第二傘歯車５０及び前記第二傘歯車５０の前側に位置するリール５１が固定的に設置されており、前記第二傘歯車５０と前記第一傘歯車４９とが噛み合い、前記第六チャンバ２４の頂壁には下へ伸びている撥条伸縮ロッド２３が固定的に設置されており、前記撥条伸縮ロッド２３の底端には前記収納チャンバ２１の中で上下にスライドできる第二プーリクッション２０が固定的に設置されており、前記第二プーリクッション２０と前記リール５１の間には鋼線５２が固定的に設置されておる。
【００１３】
有益なように、前記駆動モーター４３の頂壁には上へ開口する給気チャンバ４７が設置されており、前記給気チャンバ４７の頂端には逆止弁４８が固定的に設置されており、前記駆動モーター４３の頂端には前記給気チャンバ４７に伸びている第二主動軸４５が伝動できるように接続されており、前記第二主動軸４５の末端にはターボ４６が固定的に設置されており、前記本体１１の前側端面にはクッション１２が固定的に設置されており、前記クッション１２と前記給気チャンバ４７の間には給気穴４４が連通し、前記駆動モーター４３の後端には電気スイッチ３５が接続されており、前記電気スイッチ３５の後側端壁には第一スライド溝３２が設置されており、前記第一スライド溝３２の中には第一スライダ３３がスライドできるように設置されており、前記第一スライダ３３の前端に押し棒３４が固定的に設置されており、前記第一スライド溝３２の後側端壁には上下に伸びている第二スライド溝２９が連通して設置されており、前記第二スライド溝２９には前記ズボン１０と固定的に接続される第二スライダ３０が上下に対称にスライドできるように設置されており、上下二つの前記第二スライダ３０と前記第二スライド溝２９の上下端壁との間にはそれぞれ撥条２８が固定的に設置されており、前記第二スライダ３０と前記第一スライダ３３の間にはヒンジ棒３１がヒンジで設置されている。
【００１４】
以下、付図１−３及び上記の本願発明の多段調節の使い捨てマスクの具体的な構造を参考してその使い方を詳しく説明する：
【００１５】
まず、初期状態の時、前記押し棒３４は前記電スイッチ３５を押えず、前記電スイッチ３５は前記駆動モーター４３に電流を通さなく、左右両端の前記固定ブロック１４は接触していない；
【００１６】
使用者が体を曲げてスケートする時に、前記ズボン１０に皺ができ、前記撥条２８が上下対称の前記第二スライダ３０を接近連動させ、前記第二スライダ３０は前記ヒンジ棒３１によって前記第一スライダ３３を前へスライド連動させ、前記押し棒３４が前記電気スイッチ３５を押え、前記駆動モーター４３に電流を流す；
【００１７】
転びに対する保護を行う時に、前記駆動モーター４３が前記第二主動軸４５を回転連動させ、前記第二主動軸４５が回転して空気を吸収し、前記給気穴４４によって前記クッション１２に空気を詰め、空気を詰めた後の前記クッション１２は後へ転ぶ時の衝撃を緩和できる；
【００１８】
スケートして休憩しようとする時に、前記固定ブロック１４を回転し、左右端の前記固定ブロック１４を近づけて接触させ、前記固定ブロック１４が前記円柱１３を回転連動させ、前記円柱１３が偏心回転して前記第二円形歯車４０と前記第一円形歯車４１とを噛合連動させ、同時に前記第三円形歯車１７と前記第四円形歯車２６とが噛み合い、前記第一円形歯車４１が前記第二円形歯車４０を回転連動させ、前記第二円形歯車４０が前記第一プーリ３７を回転連動させ、前記第一プーリ３７がベルト３６によって前記第二プーリクッション２０を回転連動させ、前記第二プーリクッション２０が前記第三円形歯車１７を回転連動させ、それによって、前記第三円形歯車１７が前記第四円形歯車２６を回転連動させ、前記第四円形歯車２６が前記第一傘歯車４９を回転連動させ、前記第一傘歯車４９が前記第二傘歯車５０と前記リール５１を回転連動させ、前記リール５１が回転して前記鋼線５２を繰り出し、前記第二プーリクッション２０は撥条伸縮棒２３の弾力によって下へスライドし、前記収納チャンバ２１から伸び出て簡単なベンチになる；
【００１９】
ベンチを納める時に、前記モーター４３を起動して逆回転させ、前記リール５１が逆回転して前記鋼線を繰り入れ、前記鋼線５２が前記第二プーリクッション２０を引っ張って元の場所に戻し、前記固定ブロック１４を回転して、使用者が銀盤にスケートを続ける。
【００２０】
以上により、本発明のスケート保護スボンは反応が早く、安全で頼ましく、スペースを広く取らない；同時に、本発明装置は功能が豊富であり、操作が簡単明瞭であり、実用性が強い。
【００２１】
以上により、発明の具体実施方式だけであり、ところが、発明の保護範囲はこれには限らない、創造性労働のない考えた変化や入替えは、発明の保護範囲の中に含むべきである。
【図１】
2020147883.tif 000003
【図２】
2020147883.tif 000004
【図３】
2020147883.tif 000005
【手続補正書】
【提出日】令和1年8月11日(2019.8.11)
【手続補正１】
【補正対象書類名】特許請求の範囲
【補正対象項目名】全文
【補正方法】変更
【補正の内容】
【特許請求の範囲】
【請求項１】
ズボンを含み、前記ズボンの左右両端には本体が対称に設置されており、左側の前記本体の底端には第一チャンバが設置されており、前記第一チャンバの頂壁の中には駆動モーターが固定的に設置されており、前記駆動モーターの底部の出力軸には前記第一チャンバの中に伸びている第一主動軸が固定的に接続されており、前記第一主動軸の底端には第一円形歯車が固定的に設置されており、前記第一チャンバの底端には円柱が回転できるように設置されており、前記円柱の底端には固定ブロックが固定的に設置されており、前記固定ブロックの中には左右へ伸びている第二チャンバが設置されており、前記第二チャンバと前記第一チャンバとの間には第一回転軸が回転できるように設置されており、前記第一回転軸と前記円柱が偏心のように設置されており、前記第一チャンバの中の前記第一回転軸の末端には前記第一円形歯車と噛み合う第二円形歯車が固定的に設置されており、前記第二チャンバの中の前記第一回転軸の末端には第一プーリが固定的に設置されており、前記第二チャンバの頂壁の右端には右へ開口する第三チャンバが設置されており、前記第三チャンバと前記第二チャンバの間には第二回転軸が回転できるように設置されており、前記第二チャンバの中の前記第二回転軸の末端には第二プーリクッションが固定的に設置されており、前記第二プーリクッションと前記第一プーリの間にはベルトが装着されており、前記第三チャンバの中の前記第二回転軸には第三円形歯車が固定的に設置されており、右側の前記固定ブロックには左へ開口する第四チャンバが設置されており、前記第四チャンバの底壁の中には下へ開口する第五チャンバ及び前記第五チャンバの左側に位置する第六チャンバが設置されており、前記第五チャンバと前記第六チャンバの底壁には下に開口する収納チャンバが連通して設けられ、前記第五チャンバと前記第四チャンバの間には第三回転軸が回転できるように設置されており、前記第四チャンバの中の前記第三回転軸には前記第三円形歯車と噛み合う第四円形歯車が固定的に設置されており、前記第五チャンバの中の前記第三回転軸の末端には第一傘歯車が固定的に設置されており、前記第五チャンバの中には第四回転軸が回転できるように設置されており、前記第四回転軸と前記第五チャンバの前側端壁の間には撥条が固定的に接続されており、前記第四回転軸には第二傘歯車及び前記第二傘歯車の前側に位置するリールが固定的に設置されており、前記第二傘歯車と前記第一傘歯車とが噛み合い、前記第六チャンバの頂壁には下へ伸びている撥条伸縮ロッドが固定的に設置されており、前記撥条伸縮ロッドの底端には前記収納チャンバの中で上下にスライドできる第二プーリクッションが固定的に設置されており、前記第二プーリクッションと前記リールの間には鋼線が固定的に設置されており、
駆動モーターがリールを連動させて鋼線を緩め、撥条伸縮ロッドがクッションを弾き出すことを特徴とするスケート保護ズボン。
【請求項２】
前記駆動モーターの頂壁には上へ開口する給気チャンバが設置されており、前記給気チャンバの頂端には逆止弁が固定的に設置されており、前記駆動モーターの頂端の出力軸には前記給気チャンバに伸びている第二主動軸が固定的に設置されており、前記第二主動軸の末端にはターボが固定的に設置されており、前記本体の前側端面にはクッションが固定的に設置されており、前記クッションと前記給気チャンバの間には給気穴が連通し、前記駆動モーターの後端には電気スイッチが接続されており、前記電気スイッチの後側端壁には第一スライド溝が設置されており、前記第一スライド溝の中には第一スライダがスライドできるように設置されており、前記第一スライダの前端に押し棒が固定的に設置されており、前記第一スライド溝の後側端壁には上下に伸びている第二スライド溝が連通して設置されており、前記第二スライド溝の中には前記第二スライド溝とスライド可能に係合され且つ前記ズボンと固定的に接続される第二スライダが上下対称に設置されており、上下二つの前記第二スライダと前記第二スライド溝の上下端壁との間にはそれぞれ撥条が固定的に設置されており、前記第二スライダと前記第一スライダの間にはヒンジ棒がヒンジで設置されており、使用者が体を曲げて二つの第二スライダを相互に接近させ、第二スライダはヒンジ棒を通じて押し棒にモーターを始動させることを特徴とする請求項１に記載のスケート保護ズボン。
【手続補正２】
【補正対象書類名】明細書
【補正対象項目名】全文
【補正方法】変更
【補正の内容】
【発明の詳細な説明】
【技術分野】
【０００１】
本発明は保護用品を取り上げて、具体的にはスケート保護ズボンである。
【背景技術】
【０００２】
スケートする時に、後へ転ぶのは背中の脊椎に圧力を引き起こし、子供がスケートを勉強する時に、一定の緩和を提供する必要がある。それに、銀盤にベンチを利用して休憩するのはかなり難しく、わざとベンチを持つのはかなり不便である。そのため、スケート保護ズボンを設計して上記問題を解決する必要がある。
【先行技術文献】
【特許文献】
【０００３】
【特許文献１】中国特許出願公開第105795548号明細書
【発明の概要】
【発明が解決しようとする課題】
【０００４】
本発明が解決すべきの技術の問題はスケート保護ズボンを提供し、上記現有の技術の問題を解決する。
【課題を解決するための手段】
【０００５】
本発明のスケート保護ズボンは、ズボンを含み、前記ズボンの左右両端には本体が対称に設置されており、左側の前記本体の底端には第一チャンバが設置されており、前記第一チャンバの頂壁の中には駆動モーターが固定的に設置されており、前記駆動モーターの底部の出力軸には前記第一チャンバの中に伸びている第一主動軸が固定的に接続されており、前記第一主動軸の底端には第一円形歯車が固定的に設置されており、前記第一チャンバの底端には円柱が回転できるように設置されており、前記円柱の底端には固定ブロックが固定的に設置されており、前記固定ブロックの中には左右へ伸びている第二チャンバが設置されており、前記第二チャンバと前記第一チャンバとの間には第一回転軸が回転できるように設置されており、前記第一回転軸と前記円柱が偏心のように設置されており、前記第一チャンバの中の前記第一回転軸の末端には前記第一円形歯車と噛み合う第二円形歯車が固定的に設置されており、前記第二チャンバの中の前記第一回転軸の末端には第一プーリが固定的に設置されており、前記第二チャンバの頂壁の右端には右へ開口する第三チャンバが設置されており、前記第三チャンバと前記第二チャンバの間には第二回転軸が回転できるように設置されており、前記第二チャンバの中の前記第二回転軸の末端には第二プーリクッションが固定的に設置されており、前記第二プーリクッションと前記第一プーリの間にはベルトが装着されており、前記第三チャンバの中の前記第二回転軸には第三円形歯車が固定的に設置されており、右側の前記固定ブロックには左へ開口する第四チャンバが設置されており、前記第四チャンバの底壁の中には下へ開口する第五チャンバ及び前記第五チャンバの左側に位置する第六チャンバが設置されており、前記第五チャンバと前記第六チャンバの底壁には下に開口する収納チャンバが連通して設けられ、前記第五チャンバと前記第四チャンバの間には第三回転軸が回転できるように設置されており、前記第四チャンバの中の前記第三回転軸には前記第三円形歯車と噛み合う第四円形歯車が固定的に設置されており、前記第五チャンバの中の前記第三回転軸の末端には第一傘歯車が固定的に設置されており、前記第五チャンバの中には第四回転軸が回転できるように設置されており、前記第四回転軸と前記第五チャンバの前側端壁の間には撥条が固定的に接続されており、前記第四回転軸には第二傘歯車及び前記第二傘歯車の前側に位置するリールが固定的に設置されており、前記第二傘歯車と前記第一傘歯車とが噛み合い、前記第六チャンバの頂壁には下へ伸びている撥条伸縮ロッドが固定的に設置されており、前記撥条伸縮ロッドの底端には前記収納チャンバの中で上下にスライドできる第二プーリクッションが固定的に設置されており、前記第二プーリクッションと前記リールの間には鋼線が固定的に設置されておる。
【０００６】
更なる技術方案、前記駆動モーターの頂壁には上へ開口する給気チャンバが設置されており、前記給気チャンバの頂端には逆止弁が固定的に設置されており、前記駆動モーターの頂端の出力軸には前記給気チャンバに伸びている第二主動軸が固定的に設置されており、前記第二主動軸の末端にはターボが固定的に設置されており、前記本体の前側端面にはクッションが固定的に設置されており、前記クッションと前記給気チャンバの間には給気穴が連通し、前記駆動モーターの後端には電気スイッチが接続されており、前記電気スイッチの後側端壁には第一スライド溝が設置されており、前記第一スライド溝の中には第一スライダがスライドできるように設置されており、前記第一スライダの前端に押し棒が固定的に設置されており、前記第一スライド溝の後側端壁には上下に伸びている第二スライド溝が連通して設置されており、前記第二スライド溝の中には前記第二スライド溝とスライド可能に係合され且つ前記ズボンと固定的に接続される第二スライダが上下対称に設置されており、上下二つの前記第二スライダと前記第二スライド溝の上下端壁との間にはそれぞれ撥条が固定的に設置されており、前記第二スライダと前記第一スライダの間にはヒンジ棒がヒンジで設置されている。
【発明の効果】
【０００７】
本発明の有益な効果は下記の通りである：
【０００８】
本発明のスケート保護スボンは反応が早く、安全で頼ましく、スペースを広く取らない。同時に、本発明装置は功能が豊富であり、操作が簡単明瞭であり、実用性が強い。
【図面の簡単な説明】
【０００９】
【図１】図1は本発明のスケート保護ズボンの全体構成模式図
【図２】図２は図１のＡ−Ａの構成模式図
【図３】図３は図１のＢの拡大構成模式図
【発明を実施するための形態】
【００１０】
本説明書によって公開されるすべての特徴、或いは公開されるすべての方法或いは過程中の順序は、互いに排斥する特徴或いは順序以外、いかなる方法で組み合わせる。
【００１１】
以下、図１−３について本発明を詳しく説明し、便利に叙述するように、現在は後文に出る方位を下記の通りに規定する：後文に出る上下左右前後方向は図１本体の投影関係の上下左右前後方向と一致する。
【００１２】
図１−３に示されるように、本発明のスケート保護ズボンは、ズボン１０を含み、前記ズボン１０の左右両端には本体１１が対称に設置されており、左側の前記本体１１の底端には第一チャンバ３９が設置されており、前記第一チャンバ３９の頂壁の中には駆動モーター４３が固定的に設置されており、前記駆動モーター４３の底部の出力軸には前記第一チャンバ３９の中に伸びている第一主動軸４２が固定的に接続されており、前記第一主動軸４２の底端には第一円形歯車４１が固定的に設置されており、前記第一チャンバ３９の底端には円柱１３が回転できるように設置されており、前記円柱１３の底端には固定ブロック１４が固定的に設置されており、前記固定ブロック１４の中には左右へ伸びている第二チャンバ１５が設置されており、前記第二チャンバ１５と前記第一チャンバ３９との間には第一回転軸３８が回転できるように設置されており、前記第一回転軸３８と前記円柱１３が偏心のように設置されており、前記第一チャンバ３９の中の前記第一回転軸３８の末端には前記第一円形歯車４１と噛み合う第二円形歯車４０が固定的に設置されており、前記第二チャンバ１５の中の前記第一回転軸３８の末端には第一プーリ３７が固定的に設置されており、前記第二チャンバ１５の頂壁の右端には右へ開口する第三チャンバ１６が設置されており、前記第三チャンバ１６と前記第二チャンバ１５の間には第二回転軸１８が回転できるように設置されており、前記第二チャンバ１５の中の前記第二回転軸１８の末端には第二プーリクッション２０が固定的に設置されており、前記第二プーリクッション２０と前記第一プーリ３７の間にはベルト３６が装着されており、前記第三チャンバ１６の中の前記第二回転軸１８には第三円形歯車１７が固定的に設置されており、右側の前記固定ブロック１４には左へ開口する第四チャンバ２５が設置されており、前記第四チャンバ２５の底壁の中には下へ開口する第五チャンバ２２及び前記第五チャンバ２２の左側に位置する第六チャンバ２４が設置されており、前記第五チャンバ２２と前記第六チャンバ２４の底壁には下に開口する収納チャンバ２１が連通して設けられ、前記第五チャンバ２２と前記第四チャンバ２５の間には第三回転軸２７が回転できるように設置されており、前記第四チャンバ２５の中の前記第三回転軸２７には前記第三円形歯車１７と噛み合う第四円形歯車２６が固定的に設置されており、前記第五チャンバ２２の中の前記第三回転軸２７の末端には第一傘歯車４９が固定的に設置されており、前記第五チャンバ２２の中には第四回転軸５３が回転できるように設置されており、前記第四回転軸５３と前記第五チャンバ２２の前側端壁の間には撥条５４が固定的に接続されており、前記第四回転軸５３には第二傘歯車５０及び前記第二傘歯車５０の前側に位置するリール５１が固定的に設置されており、前記第二傘歯車５０と前記第一傘歯車４９とが噛み合い、前記第六チャンバ２４の頂壁には下へ伸びている撥条伸縮ロッド２３が固定的に設置されており、前記撥条伸縮ロッド２３の底端には前記収納チャンバ２１の中で上下にスライドできる第二プーリクッション２０が固定的に設置されており、前記第二プーリクッション２０と前記リール５１の間には鋼線５２が固定的に設置されておる。
【００１３】
有益なように、前記駆動モーター４３の頂壁には上へ開口する給気チャンバ４７が設置されており、前記給気チャンバ４７の頂端には逆止弁４８が固定的に設置されており、前記駆動モーター４３の頂端の出力軸には前記給気チャンバ４７に伸びている第二主動軸４５が固定的に設置されており、前記第二主動軸４５の末端にはターボ４６が固定的に設置されており、前記本体１１の前側端面にはクッション１２が固定的に設置されており、前記クッション１２と前記給気チャンバ４７の間には給気穴４４が連通し、前記駆動モーター４３の後端には電気スイッチ３５が接続されており、前記電気スイッチ３５の後側端壁には第一スライド溝３２が設置されており、前記第一スライド溝３２の中には第一スライダ３３がスライドできるように設置されており、前記第一スライダ３３の前端に押し棒３４が固定的に設置されており、前記第一スライド溝３２の後側端壁には上下に伸びている第二スライド溝２９が連通して設置されており、前記第二スライド溝２９の中には前記第二スライド溝２９とスライド可能に係合され且つ前記ズボン１０と固定的に接続される第二スライダ３０が上下対称に設置されており、上下二つの前記第二スライダ３０と前記第二スライド溝２９の上下端壁との間にはそれぞれ撥条２８が固定的に設置されており、前記第二スライダ３０と前記第一スライダ３３の間にはヒンジ棒３１がヒンジで設置されている。
【００１４】
以下、付図１−３及び上記の本願発明のスケート保護ズボンの具体的な構造を参考してその使い方を詳しく説明する：
【００１５】
まず、初期状態の時、前記押し棒３４は前記電気スイッチ３５を押えず、前記電気スイッチ３５は前記駆動モーター４３に電流を通さなく、左右両端の前記固定ブロック１４は接触していない。
【００１６】
使用者が体を曲げてスケートする時に、前記ズボン１０に皺ができ、前記撥条２８が上下対称の前記第二スライダ３０を接近連動させ、前記第二スライダ３０は前記ヒンジ棒３１によって前記第一スライダ３３を前へスライド連動させ、前記押し棒３４が前記電気スイッチ３５を押え、前記駆動モーター４３に電流を流す。
【００１７】
転びに対する保護を行う時に、前記駆動モーター４３が前記第二主動軸４５を回転連動させ、前記第二主動軸４５が回転して空気を吸収し、前記給気穴４４によって前記クッション１２に空気を詰め、空気を詰めた後の前記クッション１２は後へ転ぶ時の衝撃を緩和できる。
【００１８】
スケートして休憩しようとする時に、前記固定ブロック１４を回転し、左右端の前記固定ブロック１４を近づけて接触させ、前記固定ブロック１４が前記円柱１３を回転連動させ、前記円柱１３が偏心回転して前記第二円形歯車４０と前記第一円形歯車４１とを噛合連動させ、同時に前記第三円形歯車１７と前記第四円形歯車２６とが噛み合い、前記第一円形歯車４１が前記第二円形歯車４０を回転連動させ、前記第二円形歯車４０が前記第一プーリ３７を回転連動させ、前記第一プーリ３７がベルト３６によって前記第二プーリクッション２０を回転連動させ、前記第二プーリクッション２０が前記第三円形歯車１７を回転連動させ、それによって、前記第三円形歯車１７が前記第四円形歯車２６を回転連動させ、前記第四円形歯車２６が前記第一傘歯車４９を回転連動させ、前記第一傘歯車４９が前記第二傘歯車５０と前記リール５１を回転連動させ、前記リール５１が回転して前記鋼線５２を繰り出し、前記第二プーリクッション２０は撥条伸縮棒２３の弾力によって下へスライドし、前記収納チャンバ２１から伸び出て簡単なベンチになる。
【００１９】
ベンチを納める時に、前記モーター４３を起動して逆回転させ、前記リール５１が逆回転して前記鋼線を繰り入れ、前記鋼線５２が前記第二プーリクッション２０を引っ張って元の場所に戻し、前記固定ブロック１４を回転して、使用者が銀盤にスケートを続ける。
【００２０】
以上により、本発明のスケート保護スボンは反応が早く、安全で頼ましく、スペースを広く取らない。同時に、本発明装置は功能が豊富であり、操作が簡単明瞭であり、実用性が強い。
【００２１】
以上により、発明の具体実施方式だけであり、ところが、発明の保護範囲はこれには限らない、創造性労働のない考えた変化や入替えは、発明の保護範囲の中に含むべきである。
【手続補正書】
【提出日】令和2年1月6日(2020.1.6)
【手続補正１】
【補正対象書類名】特許請求の範囲
【補正対象項目名】全文
【補正方法】変更
【補正の内容】
【特許請求の範囲】
【請求項１】
ズボンを含み、前記ズボンの左右両側には本体が設置されており、左側の前記本体の底端には第一チャンバが設置されており、前記第一チャンバの頂壁の中には駆動モーターが固定的に設置されており、前記駆動モーターの底部の出力軸には前記第一チャンバの中に伸びている第一主動軸が固定的に接続されており、前記第一主動軸の底端には第一円形歯車が固定的に設置されており、前記第一チャンバの底端には円柱が回転できるように設置されており、前記円柱の底端には固定ブロックが固定的に設置されており、前記固定ブロックの中には左右へ伸びている第二チャンバが設置されており、前記第二チャンバと前記第一チャンバとの間には第一回転軸が回転できるように設置されており、前記第一回転軸と前記円柱が偏心のように設置されており、前記第一チャンバの中の前記第一回転軸の末端には前記第一円形歯車と噛み合う第二円形歯車が固定的に設置されており、前記第二チャンバの中の前記第一回転軸の末端には第一プーリが固定的に設置されており、前記第二チャンバの頂壁の右端には右へ開口する第三チャンバが設置されており、前記第三チャンバと前記第二チャンバの間には第二回転軸が回転できるように設置されており、前記第二チャンバの中の前記第二回転軸の末端には第二プーリクッションが固定的に設置されており、前記第二プーリクッションと前記第一プーリの間にはベルトが装着されており、前記第三チャンバの中の前記第二回転軸には第三円形歯車が固定的に設置されており、右側の前記固定ブロックには左へ開口する第四チャンバが設置されており、前記第四チャンバの底壁の中には下へ開口する第五チャンバ及び前記第五チャンバの左側に位置する第六チャンバが設置されており、前記第五チャンバと前記第六チャンバの底壁には下に開口する収納チャンバが連通して設けられ、前記第五チャンバと前記第四チャンバの間には第三回転軸が回転できるように設置されており、前記第四チャンバの中の前記第三回転軸には前記第三円形歯車と噛み合う第四円形歯車が固定的に設置されており、前記第五チャンバの中の前記第三回転軸の末端には第一傘歯車が固定的に設置されており、前記第五チャンバの中には第四回転軸が回転できるように設置されており、前記第四回転軸と前記第五チャンバの前側端壁の間には撥条が固定的に接続されており、前記第四回転軸には第二傘歯車及び前記第二傘歯車の前側に位置するリールが固定的に設置されており、前記第二傘歯車と前記第一傘歯車とが噛み合い、前記第六チャンバの頂壁には下へ伸びている撥条伸縮ロッドが固定的に設置されており、前記撥条伸縮ロッドの底端には前記収納チャンバの中で上下にスライドできる第二プーリクッションが固定的に設置されており、前記第二プーリクッションと前記リールの間には鋼線が固定的に設置されており、
駆動モーターがリールを連動させて鋼線を緩め、撥条伸縮ロッドがクッションを弾き出すことを特徴とするスケート保護ズボン。
【請求項２】
前記駆動モーターの頂壁には上へ開口する給気チャンバが設置されており、前記給気チャンバの頂端には逆止弁が固定的に設置されており、前記駆動モーターの頂端の出力軸には前記給気チャンバに伸びている第二主動軸が固定的に設置されており、前記第二主動軸の末端にはターボが固定的に設置されており、前記本体の前側端面にはクッションが固定的に設置されており、前記クッションと前記給気チャンバの間には給気穴が連通し、前記駆動モーターの後端には電気スイッチが接続されており、前記電気スイッチの後側端壁には第一スライド溝が設置されており、前記第一スライド溝の中には第一スライダがスライドできるように設置されており、前記第一スライダの前端に押し棒が固定的に設置されており、前記第一スライド溝の後側端壁には上下に伸びている第二スライド溝が連通して設置されており、前記第二スライド溝の中には前記第二スライド溝とスライド可能に係合され且つ前記ズボンと固定的に接続される第二スライダが上下対称に設置されており、上下二つの前記第二スライダと前記第二スライド溝の上下端壁との間にはそれぞれ撥条が固定的に設置されており、前記第二スライダと前記第一スライダの間にはヒンジ棒がヒンジで設置されており、使用者が体を曲げて二つの第二スライダを相互に接近させ、第二スライダはヒンジ棒を通じて押し棒にモーターを始動させることを特徴とする請求項１に記載のスケート保護ズボン。
【手続補正２】
【補正対象書類名】明細書
【補正対象項目名】全文
【補正方法】変更
【補正の内容】
【発明の詳細な説明】
【技術分野】
【０００１】
本発明は保護用品を取り上げて、具体的にはスケート保護ズボンである。
【背景技術】
【０００２】
スケートする時に、後へ転ぶのは背中の脊椎に圧力を引き起こし、子供がスケートを勉強する時に、一定の緩和を提供する必要がある。それに、銀盤にベンチを利用して休憩するのはかなり難しく、わざとベンチを持つのはかなり不便である。そのため、スケート保護ズボンを設計して上記問題を解決する必要がある。
【先行技術文献】
【特許文献】
【０００３】
【特許文献１】中国特許出願公開第１０５７９５５４８号明細書
【発明の概要】
【発明が解決しようとする課題】
【０００４】
本発明が解決すべきの技術の問題はスケート保護ズボンを提供し、上記現有の技術の問題を解決する。
【課題を解決するための手段】
【０００５】
本発明のスケート保護ズボンは、ズボンを含み、前記ズボンの左右両側には本体が設置されており、左側の前記本体の底端には第一チャンバが設置されており、前記第一チャンバの頂壁の中には駆動モーターが固定的に設置されており、前記駆動モーターの底部の出力軸には前記第一チャンバの中に伸びている第一主動軸が固定的に接続されており、前記第一主動軸の底端には第一円形歯車が固定的に設置されており、前記第一チャンバの底端には円柱が回転できるように設置されており、前記円柱の底端には固定ブロックが固定的に設置されており、前記固定ブロックの中には左右へ伸びている第二チャンバが設置されており、前記第二チャンバと前記第一チャンバとの間には第一回転軸が回転できるように設置されており、前記第一回転軸と前記円柱が偏心のように設置されており、前記第一チャンバの中の前記第一回転軸の末端には前記第一円形歯車と噛み合う第二円形歯車が固定的に設置されており、前記第二チャンバの中の前記第一回転軸の末端には第一プーリが固定的に設置されており、前記第二チャンバの頂壁の右端には右へ開口する第三チャンバが設置されており、前記第三チャンバと前記第二チャンバの間には第二回転軸が回転できるように設置されており、前記第二チャンバの中の前記第二回転軸の末端には第二プーリクッションが固定的に設置されており、前記第二プーリクッションと前記第一プーリの間にはベルトが装着されており、前記第三チャンバの中の前記第二回転軸には第三円形歯車が固定的に設置されており、右側の前記固定ブロックには左へ開口する第四チャンバが設置されており、前記第四チャンバの底壁の中には下へ開口する第五チャンバ及び前記第五チャンバの左側に位置する第六チャンバが設置されており、前記第五チャンバと前記第六チャンバの底壁には下に開口する収納チャンバが連通して設けられ、前記第五チャンバと前記第四チャンバの間には第三回転軸が回転できるように設置されており、前記第四チャンバの中の前記第三回転軸には前記第三円形歯車と噛み合う第四円形歯車が固定的に設置されており、前記第五チャンバの中の前記第三回転軸の末端には第一傘歯車が固定的に設置されており、前記第五チャンバの中には第四回転軸が回転できるように設置されており、前記第四回転軸と前記第五チャンバの前側端壁の間には撥条が固定的に接続されており、前記第四回転軸には第二傘歯車及び前記第二傘歯車の前側に位置するリールが固定的に設置されており、前記第二傘歯車と前記第一傘歯車とが噛み合い、前記第六チャンバの頂壁には下へ伸びている撥条伸縮ロッドが固定的に設置されており、前記撥条伸縮ロッドの底端には前記収納チャンバの中で上下にスライドできる第二プーリクッションが固定的に設置されており、前記第二プーリクッションと前記リールの間には鋼線が固定的に設置されておる。
【０００６】
更なる技術方案、前記駆動モーターの頂壁には上へ開口する給気チャンバが設置されており、前記給気チャンバの頂端には逆止弁が固定的に設置されており、前記駆動モーターの頂端の出力軸には前記給気チャンバに伸びている第二主動軸が固定的に設置されており、前記第二主動軸の末端にはターボが固定的に設置されており、前記本体の前側端面にはクッションが固定的に設置されており、前記クッションと前記給気チャンバの間には給気穴が連通し、前記駆動モーターの後端には電気スイッチが接続されており、前記電気スイッチの後側端壁には第一スライド溝が設置されており、前記第一スライド溝の中には第一スライダがスライドできるように設置されており、前記第一スライダの前端に押し棒が固定的に設置されており、前記第一スライド溝の後側端壁には上下に伸びている第二スライド溝が連通して設置されており、前記第二スライド溝の中には前記第二スライド溝とスライド可能に係合され且つ前記ズボンと固定的に接続される第二スライダが上下対称に設置されており、上下二つの前記第二スライダと前記第二スライド溝の上下端壁との間にはそれぞれ撥条が固定的に設置されており、前記第二スライダと前記第一スライダの間にはヒンジ棒がヒンジで設置されている。
【発明の効果】
【０００７】
本発明の有益な効果は下記の通りである：
【０００８】
本発明のスケート保護スボンは反応が早く、安全で頼ましく、スペースを広く取らない。同時に、本発明装置は功能が豊富であり、操作が簡単明瞭であり、実用性が強い。
【図面の簡単な説明】
【０００９】
【図１】図１は本発明のスケート保護ズボンの全体構成模式図
【図２】図２は図１のＡ−Ａの構成模式図
【図３】図３は図１のＢの拡大構成模式図
【発明を実施するための形態】
【００１０】
本説明書によって公開されるすべての特徴、或いは公開されるすべての方法或いは過程中の順序は、互いに排斥する特徴或いは順序以外、いかなる方法で組み合わせる。
【００１１】
以下、図１−３について本発明を詳しく説明し、便利に叙述するように、現在は後文に出る方位を下記の通りに規定する：後文に出る上下左右前後方向は図１本体の投影関係の上下左右前後方向と一致する。
【００１２】
図１−３に示されるように、本発明のスケート保護ズボンは、ズボン１０を含み、前記ズボン１０の左右両側には本体１１が設置されており、左側の前記本体１１の底端には第一チャンバ３９が設置されており、前記第一チャンバ３９の頂壁の中には駆動モーター４３が固定的に設置されており、前記駆動モーター４３の底部の出力軸には前記第一チャンバ３９の中に伸びている第一主動軸４２が固定的に接続されており、前記第一主動軸４２の底端には第一円形歯車４１が固定的に設置されており、前記第一チャンバ３９の底端には円柱１３が回転できるように設置されており、前記円柱１３の底端には固定ブロック１４が固定的に設置されており、前記固定ブロック１４の中には左右へ伸びている第二チャンバ１５が設置されており、前記第二チャンバ１５と前記第一チャンバ３９との間には第一回転軸３８が回転できるように設置されており、前記第一回転軸３８と前記円柱１３が偏心のように設置されており、前記第一チャンバ３９の中の前記第一回転軸３８の末端には前記第一円形歯車４１と噛み合う第二円形歯車４０が固定的に設置されており、前記第二チャンバ１５の中の前記第一回転軸３８の末端には第一プーリ３７が固定的に設置されており、前記第二チャンバ１５の頂壁の右端には右へ開口する第三チャンバ１６が設置されており、前記第三チャンバ１６と前記第二チャンバ１５の間には第二回転軸１８が回転できるように設置されており、前記第二チャンバ１５の中の前記第二回転軸１８の末端には第二プーリクッション２０が固定的に設置されており、前記第二プーリクッション２０と前記第一プーリ３７の間にはベルト３６が装着されており、前記第三チャンバ１６の中の前記第二回転軸１８には第三円形歯車１７が固定的に設置されており、右側の前記固定ブロック１４には左へ開口する第四チャンバ２５が設置されており、前記第四チャンバ２５の底壁の中には下へ開口する第五チャンバ２２及び前記第五チャンバ２２の左側に位置する第六チャンバ２４が設置されており、前記第五チャンバ２２と前記第六チャンバ２４の底壁には下に開口する収納チャンバ２１が連通して設けられ、前記第五チャンバ２２と前記第四チャンバ２５の間には第三回転軸２７が回転できるように設置されており、前記第四チャンバ２５の中の前記第三回転軸２７には前記第三円形歯車１７と噛み合う第四円形歯車２６が固定的に設置されており、前記第五チャンバ２２の中の前記第三回転軸２７の末端には第一傘歯車４９が固定的に設置されており、前記第五チャンバ２２の中には第四回転軸５３が回転できるように設置されており、前記第四回転軸５３と前記第五チャンバ２２の前側端壁の間には撥条５４が固定的に接続されており、前記第四回転軸５３には第二傘歯車５０及び前記第二傘歯車５０の前側に位置するリール５１が固定的に設置されており、前記第二傘歯車５０と前記第一傘歯車４９とが噛み合い、前記第六チャンバ２４の頂壁には下へ伸びている撥条伸縮ロッド２３が固定的に設置されており、前記撥条伸縮ロッド２３の底端には前記収納チャンバ２１の中で上下にスライドできる第二プーリクッション２０が固定的に設置されており、前記第二プーリクッション２０と前記リール５１の間には鋼線５２が固定的に設置されておる。
【００１３】
有益なように、前記駆動モーター４３の頂壁には上へ開口する給気チャンバ４７が設置されており、前記給気チャンバ４７の頂端には逆止弁４８が固定的に設置されており、前記駆動モーター４３の頂端の出力軸には前記給気チャンバ４７に伸びている第二主動軸４５が固定的に設置されており、前記第二主動軸４５の末端にはターボ４６が固定的に設置されており、前記本体１１の前側端面にはクッション１２が固定的に設置されており、前記クッション１２と前記給気チャンバ４７の間には給気穴４４が連通し、前記駆動モーター４３の後端には電気スイッチ３５が接続されており、前記電気スイッチ３５の後側端壁には第一スライド溝３２が設置されており、前記第一スライド溝３２の中には第一スライダ３３がスライドできるように設置されており、前記第一スライダ３３の前端に押し棒３４が固定的に設置されており、前記第一スライド溝３２の後側端壁には上下に伸びている第二スライド溝２９が連通して設置されており、前記第二スライド溝２９の中には前記第二スライド溝２９とスライド可能に係合され且つ前記ズボン１０と固定的に接続される第二スライダ３０が上下対称に設置されており、上下二つの前記第二スライダ３０と前記第二スライド溝２９の上下端壁との間にはそれぞれ撥条２８が固定的に設置されており、前記第二スライダ３０と前記第一スライダ３３の間にはヒンジ棒３１がヒンジで設置されている。
【００１４】
以下、付図１−３及び上記の本願発明のスケート保護ズボンの具体的な構造を参考してその使い方を詳しく説明する：
【００１５】
まず、初期状態の時、前記押し棒３４は前記電気スイッチ３５を押えず、前記電気スイッチ３５は前記駆動モーター４３に電流を通さなく、左右両端の前記固定ブロック１４は接触していない。
【００１６】
使用者が体を曲げてスケートする時に、前記ズボン１０に皺ができ、前記撥条２８が上下対称の前記第二スライダ３０を接近連動させ、前記第二スライダ３０は前記ヒンジ棒３１によって前記第一スライダ３３を前へスライド連動させ、前記押し棒３４が前記電気スイッチ３５を押え、前記駆動モーター４３に電流を流す。
【００１７】
転びに対する保護を行う時に、前記駆動モーター４３が前記第二主動軸４５を回転連動させ、前記第二主動軸４５が回転して空気を吸収し、前記給気穴４４によって前記クッション１２に空気を詰め、空気を詰めた後の前記クッション１２は後へ転ぶ時の衝撃を緩和できる。
【００１８】
スケートして休憩しようとする時に、前記固定ブロック１４を回転し、左右端の前記固定ブロック１４を近づけて接触させ、前記固定ブロック１４が前記円柱１３を回転連動させ、前記円柱１３が偏心回転して前記第二円形歯車４０と前記第一円形歯車４１とを噛合連動させ、同時に前記第三円形歯車１７と前記第四円形歯車２６とが噛み合い、前記第一円形歯車４１が前記第二円形歯車４０を回転連動させ、前記第二円形歯車４０が前記第一プーリ３７を回転連動させ、前記第一プーリ３７がベルト３６によって前記第二プーリクッション２０を回転連動させ、前記第二プーリクッション２０が前記第三円形歯車１７を回転連動させ、それによって、前記第三円形歯車１７が前記第四円形歯車２６を回転連動させ、前記第四円形歯車２６が前記第一傘歯車４９を回転連動させ、前記第一傘歯車４９が前記第二傘歯車５０と前記リール５１を回転連動させ、前記リール５１が回転して前記鋼線５２を繰り出し、前記第二プーリクッション２０は撥条伸縮棒２３の弾力によって下へスライドし、前記収納チャンバ２１から伸び出て簡単なベンチになる。
【００１９】
ベンチを納める時に、前記モーター４３を起動して逆回転させ、前記リール５１が逆回転して前記鋼線を繰り入れ、前記鋼線５２が前記第二プーリクッション２０を引っ張って元の場所に戻し、前記固定ブロック１４を回転して、使用者が銀盤にスケートを続ける。
【００２０】
以上により、本発明のスケート保護スボンは反応が早く、安全で頼ましく、スペースを広く取らない。同時に、本発明装置は功能が豊富であり、操作が簡単明瞭であり、実用性が強い。
【００２１】
以上により、発明の具体実施方式だけであり、ところが、発明の保護範囲はこれには限らない、創造性労働のない考えた変化や入替えは、発明の保護範囲の中に含むべきである。